(57)【要約】【課題】電圧の立ち上がり時の誤動作を防止したタイミングコントローラを提供する。【解決手段】電圧ＶDDの立ち上がり時にロジック部11を電圧監視リセット部12によりリセットする。電圧ＶDDが予め設定した所定の電圧値となった状態で電圧監視リセット部12がロジック部11のリセットを解除する。この解除後に、入力信号Ｉの安定を確認すると、ロジック部11の擬似的な動作リセットを動作リセット部13が解除する。ロジック部11の動作が確実に安定した状態からタイミングコントローラ８を駆動させることができ、電圧ＶDDの立ち上がり時の誤動作を防止できる。【選択図】図１
2008203410.tif 000002
【特許請求の範囲】
【請求項１】
表示素子に信号を出力するロジック部と、
供給される電圧を監視し、この電圧の立ち上がり時に前記ロジック部をリセットするとともに、前記電圧が予め設定された所定の電圧値となった状態で前記リセットを解除する電圧監視リセット部と、
前記ロジック部を擬似的に動作リセットするとともに、前記電圧監視リセット部での前記リセットの解除後に、前記ロジック部に入力される入力信号の安定を確認すると前記動作リセットを解除する動作リセット部と
を具備したことを特徴とした表示制御回路。
【請求項２】
前記動作リセット部は、前記ロジック部に入力される前記入力信号に含まれる同期信号を検出することで前記入力信号の安定を確認する
ことを特徴とした請求項１記載の表示制御回路。
【請求項３】
前記動作リセット部は、前記ロジック部に入力される前記入力信号を外部入力クロックにより計測する
ことを特徴とした請求項２記載の表示制御回路。
【請求項４】
前記動作リセット部は、前記ロジック部に入力される前記入力信号を内部自走クロックにより計測する
ことを特徴とした請求項２記載の表示制御回路。
【発明の詳細な説明】
【技術分野】
【０００１】
本発明は、表示素子に信号を出力するロジック部を備えた表示制御回路に関する。
【背景技術】
【０００２】
従来、表示装置としての液晶表示装置であるＬＣＤパネルは、一対の基板間に液晶層を介在した表示素子としての液晶表示素子である液晶セルを備え、この液晶セルには、複数の走査線と信号線とが格子状に配設され、これら走査線と信号線との交差位置に、マトリクス状の各画素を駆動するスイッチング素子としての薄膜トランジスタ(ＴＦＴ)が配設されている。各走査線および各信号線は、液晶セルに配設された駆動用ＩＣであるドライバＩＣにそれぞれ電気的に接続され、これらドライバＩＣには、表示制御回路としてのタイミングコントローラ(Ｔ−ＣＯＮ)から信号が入力されている。
【０００３】
このタイミングコントローラは、液晶セルでの画像の表示タイミングを制御するもので、例えばパーソナルコンピュータ(ＰＣ)などから入力される映像信号および制御信号などの各種信号を処理して液晶セルの各ドライバＩＣに出力するロジック部を備えている。
【０００４】
ところで、このようなロジック部は、例えば電源を投入した際など、供給電圧の立ち上がりの際に充分な動作電圧が得られず、動作が不安定になることがある。
【０００５】
そのため、電圧の立ち上がりから所定時間後に、電圧の投入時にリセットされたロジック部のリセットを解除することで、不充分な動作電圧によるロジック部の不安定な動作を防止した構成が知られている（例えば、特許文献１参照。）。
【特許文献１】特開平５−１５６４７号公報
【発明の開示】
【発明が解決しようとする課題】
【０００６】
しかしながら、上述の表示制御回路では、電源からの電圧がロジック部の動作電圧まで立ち上がっていても、このロジック部に入力される入力信号が安定していないと、誤動作を起こすおそれがあるという問題点を有している。
【０００７】
本発明は、このような点に鑑みなされたもので、電圧の立ち上がり時の誤動作を防止した表示制御回路を提供することを目的とする。
【課題を解決するための手段】
【０００８】
本発明は、表示素子に信号を出力するロジック部と、供給される電圧を監視し、この電圧の立ち上がり時に前記ロジック部をリセットするとともに、前記電圧が予め設定された所定の電圧値となった状態で前記リセットを解除する電圧監視リセット部と、前記ロジック部を擬似的に動作リセットするとともに、前記電圧監視リセット部での前記リセットの解除後に、前記ロジック部に入力される入力信号の安定を確認すると前記動作リセットを解除する動作リセット部とを具備したものである。
【０００９】
そして、供給される電圧の立ち上がり時にロジック部をリセットし、電圧が予め設定された所定の電圧値となった状態で電圧監視リセット部がロジック部のリセットを解除するとともに、この解除後に、ロジック部に入力される入力信号の安定を確認すると、ロジック部の擬似的な動作リセットを動作リセット部が解除する。
【発明の効果】
【００１０】
本発明によれば、ロジック部の動作が確実に安定した状態から駆動させることができ、電圧の立ち上がり時の誤動作を防止できる。
【発明を実施するための最良の形態】
【００１１】
以下、本発明の一実施の形態の構成を、図面を参照して説明する。
【００１２】
図２は表示装置としての液晶表示装置であるＬＣＤパネルＬを示し、このＬＣＤパネルＬは、表示素子としての液晶表示素子である液晶セル１を備え、この液晶セル１は、インターフェースIFを介してコンピュータＣに電気的に接続されている。
【００１３】
液晶セル１は、マトリクス状に配設されたスイッチング素子としての薄膜トランジスタ(ＴＦＴ)を用いた表示器としての画像表示装置である。そして、この液晶セル１には、四角形状の表示領域５の側縁および端縁に沿って、駆動用ＩＣとしてのドライバＩＣであるゲートドライバ６およびソースドライバ７が設けられている。これらゲートドライバ６およびソースドライバ７は、それぞれ薄膜トランジスタのゲート電極およびソース電極と電気的に接続され、各薄膜トランジスタの動作を制御可能となっている。さらに、液晶セル１には、ゲートドライバ６およびソースドライバ７の制御タイミングを切り替えるとともに、これらゲートドライバ６およびソースドライバ７に、インターフェースIFを介してコンピュータＣのグラフィックチップから入力された画像信号、および、クロック信号などの制御信号などの入力信号Ｉを処理して各ドライバ６，７に出力する表示制御回路としての半導体集積回路すなわちＬＳＩであるタイミングコントローラ(Ｔ−ＣＯＮ)８が搭載されている。
【００１４】
このタイミングコントローラ８は、図１のブロック図に示すように、入力された画像信号に基づいて、水平走査用の動作クロックや水平同期スタートパルスなどの制御信号をソースドライバ７(図２)へ出力するとともに、垂直走査のための動作クロックおよび垂直同期スタートパルスをゲートドライバ６(図１)へ出力することで、液晶セル１(図１)での画像の表示タイミングを制御するもので、図示しない電源から供給される電圧ＶDDにより動作される。
【００１５】
そして、このタイミングコントローラ８は、コンピュータＣ(図１)側から送信された入力信号Ｉが入力されるロジック部11と、このロジック部11をリセットする電圧監視リセット部12と、ロジック部11を擬似的に動作リセットする動作リセット部13とを備えている。
【００１６】
ロジック部11は、入力信号Ｉを処理してデジタル画像信号および制御信号などの信号Ｏを生成し、この信号Ｏを各ドライバ６，７(図１)へと出力するものである。
【００１７】
電圧監視リセット部12は、電源から供給される電圧ＶDDを監視するとともに、ロジック部11のリセット(電圧監視リセット)およびこのリセットの解除などが可能となっている。
【００１８】
また、動作リセット部13は、ロジック部11を擬似的に動作リセット可能であるとともに、ロジック部11の入力信号Ｉを計測してこの入力信号Ｉの安定を確認可能であり、かつ、電圧監視リセット部12のリセット解除によりこの電圧監視リセット部12から出力されるリセット解除信号ＳRにより、電圧監視リセット部12でのリセットの解除を確認可能であって、これら確認により、動作リセットの解除が可能となっている。
【００１９】
ここで、動作リセット部13での入力信号Ｉの安定は、入力信号Ｉに含まれる同期信号を検出することで確認される。この動作リセット部13での同期信号の検出、すなわち同期検出は、外部から入力される外部入力クロックを用いる構成と、動作リセット部13自体の内部自走クロックを用いる構成とのいずれでもよい。
【００２０】
次に、上記一実施の形態の動作を、図３に示すタイミングチャートも参照しながら説明する。
【００２１】
まず、電源投入時など、タイミングコントローラ８の電圧ＶDDの立ち上がり時には、電圧監視リセット部12がロジック部11をリセットし、この電圧ＶDDが所定の電圧値ＶTHとなった状態でこのリセットを解除する。
【００２２】
このとき、電圧監視リセット部12から動作リセット部13へと、リセット解除信号ＳRを出力する。
【００２３】
動作リセット部13では、ロジック部11に対して擬似的に動作リセットをしている状態で、電圧監視リセット部12からリセット解除信号ＳRが出力されると、ロジック部11への入力信号Ｉを計測し、この入力信号Ｉの同期検出をする。
【００２４】
このとき、入力信号Ｉが不安定、すなわちこの入力信号Ｉに含まれる同期信号を検出しない場合(ＮＧ)には、動作リセット部13はロジック部11の動作リセットを保持する。
【００２５】
また、入力信号Ｉが安定している場合(ＯＫ)には、動作リセット部13がロジック部11の擬似的な動作リセットを解除し、ロジック部11が動作を開始する。
【００２６】
このように、上記一実施の形態では、電圧ＶDDの立ち上がり時にロジック部11を電圧監視リセット部12によりリセットし、電圧ＶDDが予め設定された所定の電圧値ＶTHとなった状態で電圧監視リセット部12がロジック部11のリセットを解除するとともに、この解除後に、入力信号Ｉの安定を確認すると、ロジック部11の擬似的な動作リセットを動作リセット部13が解除する構成とした。
【００２７】
この結果、電圧の立ち上がりから予め設定された所定時間後にロジック部のリセットを解除する従来の構成では、リセットの解除のタイミングが早過ぎると、ロジック部に充分な動作電圧が供給されていたとしても、このロジック部の入力信号が不安定で誤動作を起こすおそれがあったのに対して、上記一実施の形態によれば、ロジック部11に充分な動作電圧が供給され、かつ、安定した入力信号Ｉが供給されている状態、すなわちロジック部11の動作が確実に安定した状態からタイミングコントローラ８を駆動させることができ、電圧ＶDDの立ち上がり時の誤動作を防止できる。
【００２８】
また、上記従来の構成では、電圧の立ち上がり時の誤動作を防止するために、リセットの解除のタイミングが早過ぎないように、ロジック部のリセットを解除するまでの時間、すなわちリセット時間を、入力信号が充分に安定すると予想される時間まで、必要以上に長くとらなければならないのに対して、上記一実施の形態では、リセット時間が、電圧ＶDDの立ち上がりからロジック部11の安定動作が可能となるまでのほぼ最短の時間まで短縮でき、タイミングコントローラ８の迅速な立ち上がりが可能になる。
【００２９】
さらに、動作リセット部13では、入力信号Ｉに含まれる同期信号を外部入力クロック、あるいは内部自走クロックにより同期検出することで、入力信号Ｉの安定を、容易かつ確実に確認できる。
【００３０】
なお、上記一実施の形態において、動作リセット部13での入力信号Ｉの安定の確認は、同期検出以外でも、任意の方法とすることが可能である。
【００３１】
また、表示素子としては、液晶セル１以外の任意の表示素子であっても、対応させて用いることが可能である。
【図面の簡単な説明】
【００３２】
【図１】本発明の一実施の形態の表示制御回路を示すブロック図である。
【図２】同上表示制御回路を備えた表示装置を示すブロック図である。
【図３】同上表示制御回路の動作タイミングを示すタイミングチャートである。
【符号の説明】
【００３３】
１    表示素子としての液晶セル
８    表示制御回路としてのタイミングコントローラ
11    ロジック部
12    電圧監視リセット部
13    動作リセット部
Ｉ    入力信号
Ｏ    信号
ＶDD    電圧
【図１】
2008203410.tif 000003
【図２】
2008203410.tif 000004
【図３】
2008203410.tif 000005